(57)【要約】      （修正有）【課題】理・美容店や病院、福祉施設、在宅等における洗髪時に被洗髪者の着衣及び寝具の水濡れを防止し、洗髪水の洗面ボウルへの円滑な流入を促し、更に洗面ボウル接触による後頸部の苦痛を防ぐために用いる介護用シャンプークロスを提供する。【解決手段】十分な仰向け姿勢ができない者の洗髪時には、シート１，７の形状固定機能により一体化して塵取り形状を保持しているので、シート７の湾曲形状が被洗髪者の前面への水跳ね、着衣の水濡れを防ぎ、また、防水カラーが着衣の水濡れを防止するとともに、シート１が洗髪水を他に流出させず、頭部と離れた洗面ボウルに運ぶことができる介護用シャンプークロスを構成している。【選択図】図９
0003189630.tif 000002
【実用新案登録請求の範囲】
【請求項１】
本考案によるシャンプークロスは頸部から肘関節くらいまでの丈で、３６０度身体を覆う防水性シートの頸部にあたる部分を円形にくり抜き、その表面の一方向に、表面に水流を一定方向に促すための複数のＶ字溝が設けられ、両端を上向き変形固定可能な長方形の防水性シートを重ね、その対となる一方に円心方向に複数のＶ字溝を設け、必要に応じた角度の湾曲形状を保つ機能を有したほぼ半円形の防水性シートを重ね、また、前記長方形のシートの一辺に経の長さがランダムの半円形１層の防水性シートを縫合されており、この材質、形状・構造によって身体の障害により十分な前・後傾姿勢ができない者、また、仰向けに寝た切りの者の洗髪時にも着衣や寝具の水濡れを防止し、洗髪水を他に流出・飛散させることなく洗面ボウルにスムーズに放流することができるもので、以下請求項２から同５までの構成部材による個々機能に加え、請求項６により複合的機能を有することを特徴とする介護用シャンプークロスである。
【請求項２】
請求項１に記載の長方形シートは幅約６０、０センチメートル奥行約４０、０センチメートルで防水又は撥水加工された化学繊維若しくは天然素材製のシートを表裏シートとし、幅約６０、０センチメートル、手前から奥行約２０、０センチメートルの部分に厚み約５、０ミリメートルのクッション材を挟み、加えて、手前側面中心点を起点に両サイドに約７、５センチメートル幅、奥行約２０、０センチメートルの部分に厚み約１５、０ミリメートルのクッション材を重ねて挟み込み、請求項３及び同４のシートと縫合する手前側面側を揃えて外周を縫合・パイピングする。次に、クッション材挟み込み部分と非挟み込み部分の境界部にミシン掛けしてクッション材を固定し、更に３層及び４層重ね部分の表面に奥行方向に沿って幅約５、０センチメートル間隔にミシンをかけてＶ字形の溝を施し３層及び４層を一体化したことを特徴として介護用シャンプークロスの構造部材を形成している。
【請求項３】
請求項１に記載の半円形防水性シートは請求項２の３層部と同材質・構造の３層シートで、直径約６０、０センチメートルの半円形から円心を基点に角度約２０度に相当する部分を除去したシートで、このシートの円心から半径約１４、０センチメートルの部位に円を描き、これにミシン目を入れて内円とし、この内円から同シートの外周に向けて表裏シートに放射状に均等幅で約４ルートのダーツを入れＶ字形溝を施し３層を一体化する。このダーツのライン１本は角度約２０度カットした方の辺から角度約６０度移動した位置に、次に角度約３０度毎に移動した位置に３本入れる。また、このダーツの折り目は各々円外周部で約２、０センチメートル幅、内円部で０センチメートル幅の楔状とし、表裏とも折り目を内側に織り込んで折り目が重ならないよう並列にし、折り目を固定化するため先に入れたミシン目の両サイドにミシン目を加えＶ字形溝を設けたことを特徴として介護用シャンプークロスの構造部材を形成している。
【請求項４】
請求項１に記載の経の長さがランダムの半円形シートは、半径約３０、０センチメートル、１２０度角の防水または撥水加工された化学繊維若しくは天然素材の１枚シートの経長を、先ず約３０、０センチメートルの辺から角度約４５度移行した部分の経長を約１４、０センチメートル、更に角度約４５度移行した部分の経長を約１６、０センチメートル、約３０、０センチメートルの辺と反対側の辺長を約８、５センチメートルとし、それぞれの経端間を外円状に結び、外周と１方の直線部をパイピングしたことを特徴として介護用シャンプークロスの構成部材を形成している。
【請求項５】
請求項１に記載の頸部から肘関節くらいまでの丈で、３６０度身体を覆う防水性シートは幅約９８、０センチメートル、奥行約９９、０センチメートルの長方形防水性１層シートの４角を切り取って丸みを施し、このシートの約９８、０センチメートル幅のセンターライン上で手前から奥行約４９、０センチメートルの位置を円心とする直径約１２、０センチメートル円形部を切り取り、また、約１２、０センチメートル円形の円心から手前側面に至るセンターラインをカット分断し、周辺を三つ折りして縫製したものを特徴として介護用シャンプークロスの構成部材を形成している。
【請求項６】
請求項１に記載の複合的機能は、請求項２から同５までの構成部材を以下に説明のとおりに一体化、加工し、更に、別の部材を付設することによって得られる。
先ず、請求項３のシート円心部を請求項２のシートの約６０、０センチメートル側面の中間点に合わせ、角度約２０度除去しなかった方の直線部を請求項２のシートの約６０、０センチメートル側面の２分の１側面に縫合して一体化し、同側面の中間点を円心として請求項２と同３のシートを直径約１２、０センチメートルの円形に切り取り、その円形断面を防水性の肌にやさしい素材でパイピングする。
次に、請求項２のシートの約６０、０センチメートル側面で請求項３のシートと縫合しない方の側面に請求項４のシートの非パイピング部を縫合する。更に、先に直径約１２、０センチメートルの円形に切り取った請求項２と同３のシートの断面に附合する部分を切り取り、円形断面を防水性の肌にやさしい素材でパイピングする。
次に、請求項５のシートを請求項２・３・４のシートの下層に置き、請求項２のシートと重なる内円形部及び請求項４のシートの内円形部、更に請求項３のシートの内円形部で請求項２のシートと縫合した部位から角度９０度まで進んだ部分までを縫合し一体化する。次に、請求項２〜５のシートの各部を以上のように縫合し一体化した構造体に対し、更に、請求項２のシートと請求項４のシートの縫合内円形部分に各々約１０、０センチメートルに亘る幅約１、５センチメートルのマジックテープ・フック状若しくはパイル状側を取り付け、これと対となるよう請求項３のシートの請求項２のシートと縫合しない方の内円形先端部分に幅約１、５センチメートル、長さ約２０、０センチメートルのマジックテープを取り付ける。
次に、請求項３のシートの請求項２のシートと縫合しない側の側面先端に長さ約２５、０センチメートルの紐を取り付ける。また、請求項２のシートに請求項４のシートを縫合した側の約４０、０センチメートル側面の中間点よりやや先方部表側に防水性素材で長さ約２、５センチメートル、幅約１、０センチメートルのループを取り付ける。更にループから請求項２と同４のシート縫合側に約５、０センチメートル移動した部分に長さ約２５、０センチメートルの紐を取り付ける。
次に、請求項４のシートと同材質のシートを用意し、周囲を折り返して縫製後のサイズを幅約４、０センチメートル、長さ約１８、８５センチメートルの長方形状とし、その片端約８、０センチメートル部分を請求項２のシートと結合した部分の請求項３のシートの内円形部内側に下向きに縫合し、反対の端部約５、０センチメートル部分を請求項２のシートと結合した部分の請求項４のシート内円形部内側に下向きに縫合する。中間の部分を請求項２のシートの内円形部に下向きに縫合する。いずれも各シートの上部に本部材の上部を揃えているため、本品は先に取り付けたマジックテープより下部にあり同テープとは重ならない。本部材を防水カラーと称す。
次に、請求項４のシートの内円周部先端部分に幅約１、５センチメートル、長さ約２、０センチメートル、厚さ約２、０〜４、０ミリメートルの摩擦に強い素材によるつまみを縫合・付設して全形状・構造・機能を完成し、身体に障害を有する者の洗髪時にも適応する有効な複合的機能を具備していることを特徴とする介護用シャンプークロスである。
【考案の詳細な説明】
【技術分野】
【０００１】本考案は理・美容店や病院、福祉施設、在宅等における洗髪時に被洗髪者の着衣及び寝具の水濡れを防止し、洗髪水の洗面ボウルへの円滑な流入を促し、更に洗面ボウル接触による後頸部の苦痛を防ぐために用いる介護用シャンプークロスに関するものである。
【背景技術】
【０００２】従来のシャンプークロスは薄い防水性の化学繊維一枚で作成され、頸部を中心に３６０度肘関節部あたりまでの長さで身体を覆い、その上に涎かけをやや拡大した形状の防水性科学繊維を重ねた単純な形状・構造のものが一般的で、介護用と称する製品ではクロスの外周に円形のワイヤーを内蔵しているものがあるが、一定の形状しか保てないので被洗髪者の様々な体位変換に適応できないものである。【０００３】これでは材質・構造に被洗髪者の姿勢に適応した形状固定機能がないため、洗髪水をスムーズに洗面ボウルへ放流できず、十分な前屈みや仰向け姿勢が困難で、体位変換が難しい身体障害者及び寝たきりの者に対し、着衣及び寝具等の水濡れ、また、飛散水による水濡れ被害をもたらし、更に健常者も含め洗面ボウルに後頭部を乗せたときには、痛覚を和らげるため、別のクッション機材を後頸部に当てる必要があり、用途目的に適う機能を有していないものである。
【先行技術文献】
【非特許文献】
【０００４】
【非特許文献１】社団法人ジミー国際理美容福祉アカデミー社のホームページ掲載、介護用にワイヤー内蔵のシャンプーケアクロス。
【０００５】
【非特許文献２】滝川株式会社出版、理・美容店向け商品カタログ、ビューティギャラリー２７巻２０１２−２０１３版掲載。１８３Ｐ、株式会社メイホー製バックシャンプークロス  １９４Ｐ、リファレンス社製ワード介護用ＢＢフロントシャンプークロス。１９５Ｐ、カトレアエリーゼしわシャンプークロス。１９５Ｐ、株式会社丸福商会製エクセルバックシャンプークロス。
【０００６】
【非特許文献３】滝川株式会社出版、理・美容店向け商品カタログ、ビューティギャラリー２７巻２０１２−２０１３版掲載。名和商事株式会社製シャンプーボールクッション各種。
【考案の概要】
【考案が解決しようとする課題】
【０００７】本考案は以上のような従来の欠点に鑑み、身体障害による深い前傾姿勢不能者、仰向け姿勢不能者、寝たきりの者等の洗髪時における着衣及び寝具の水濡れ・着衣への水跳ねを防止し、また、健常者も含め、洗面ボウル接触による後頸部の苦痛を解消する介護用シャンプークロスを提供することを目的としている。
【課題を解決するための手段】
【０００８】上記目的を達成するために本考案は請求項１から同６に示すように、材質、形状、構造、縫製形態の複合的な組み合わせによって介護用シャンプークロスを構成している。【０００９】先ず、請求項２では防水又は撥水加工された化学繊維若しくは天然素材製の２枚重ねシートを用意し、手前から奥行２分の１までの表裏シートの間にクッション材を挟んで請求項３及び同４のシートと縫合する側面側の３層を揃えて三枚重ねで縫合し、その部分の表面に奥行方向に沿って幅約５、０センチメートル間隔にミシンをかけてＶ字形の溝を設けている。【００１０】請求項３では前項と同材質・三重構造の直径約６０、０センチメートルの半円形シートに円心から約１４、０センチメートルの円状部にミシン目を施し、その部位より円外周に向けた楔状のダーツを４本入れている。このダーツは円外周部で幅約２、０センチメートル、内円形部で０センチメートルの楔状となっており、表裏シートの折り目を各々シートの内側に織り込み、並列に並べて重なりを防いでおり、折り目を固定するため最初のミシン目の両サイドにミシン目を加えＶ字形の溝を設けている。【００１１】請求項４では半径約３０、０センチメートル、１２０度角の防水または撥水加工された化学繊維若しくは天然素材の１枚シートの経長を、先ず約３０、０センチメートルの辺から角度約４５度移行した部分を約１４、０センチメートル、更に角度約４５度移行した部分を約１６、０センチメートル、約３０、０センチメートルの辺と反対側の辺長を約８、５センチメートルに短縮し、それぞれの経端間を三つ折り縫製し外円状に結んでいる。【００１２】請求項５では幅約９８、０センチメートル、奥行約９９、０センチメートルの長方形防水性１層シートの４角を切り取って丸みを施し、このシートの約９８、０センチメートル幅のセンターライン上で手前から奥行約４９、０センチメートルの位置を円心とする直径約１２、０センチメートルの円形部を切り取り、また、その円形の円心から手前側面に至るセンターラインをカット分断し、周辺を三つ折りして縫製している。【００１３】請求項６では、先ず請求項３のシートの円心部を請求項２のシートの約６０、０センチメートル側面の中間点に合わせ、角度約２０度除去しなかった方の直線部を請求項２のシートの約６０、０センチメートル側面の２分の１側面に縫合して一体化し、請求項３のシートの円心から請求項２のシートと同３のシートを直径約１２、０センチメートルの円形に切り取り、その円形断面を防水性の肌にやさしい素材でパイピングしている。パイピングに先立ち、請求項２の表裏シート円形部に接している三層部、幅約１５、０センチメートル、奥行約２０センチメートル部分に、厚み約１、５センチメートルのクッション材を先に挟み込み済みのクッション材に重ねて挟み込んでいる。【００１４】次に、請求項２のシートの約６０、０センチメートル側面で請求項３のシートと縫合しない方の側面に請求項４のシートの非パイピング部を縫合し、更に、先に直径約１２、０センチメートルの円形に切り取った請求項２・３のシートの断面に附合する部分を切り取り、その円形断面を防水性の肌にやさしい素材でパイピングしている。【００１５】次に、請求項５のシートを請求項２・３・４のシートの下層に置き、請求項２のシートと重なる内円形部及び請求項４のシートの内円形部、更に請求項３のシートの内円形部で請求項２のシートと縫合した部位から約角度９０度まで進んだ部分までを縫合し一体化している。【００１６】請求項６では縫合一体化した請求項２〜４のシートに対し、先ず、請求項２のシートと請求項４のシートの縫合内円形部分外側に各々約１０、０センチメートルに亘る幅約１、５センチメートルのマジックテープ・フック若しくはパイル状側を取り付け、請求項３のシートの内円形部内側にこれと対となる幅約１、５センチメートル、長さ約２０、０センチメートルのマジックテープを取り付けている。【００１７】次に、請求項３のシートの請求項２のシートと縫合しない側の側面先端に長さ約２５、０センチメートルの紐を取り付け、また、請求項２のシートの請求項４のシートと縫合した側の約４０、０センチメートル側面の中間点よりやや先方表側に防水性素材で長さ約２、５センチメートル、幅約１、０センチメートルのループを取り付けている。更にループから請求項２・同３のシート縫合側に約５、０センチメートル移動した部分に約２５、０センチメートルの紐を取り付けている。【００１８】次に、請求項３のシートの内円周部先端部分に幅約１、５センチメートル、長さ約２、０センチメートル、厚さ約２、０〜４、０ミリメートルの摩擦に強い素材によるつまみを縫合・付設している。【００１９】次に請求項２・３・４のシート内円形部内側に請求項４のシートと同材質の幅約５、０センチメートル長さ約１８、８５センチメートルの防水カラーを縫合している。
【考案の効果】
【００２０】以上の説明から明らかなように、本考案にあっては次に列挙する効果が得られる。【００２１】（１）健常者はもとより、身体の障害により理・美容店のチェアーや車いすで十分な前傾姿勢の難しい者の洗髪時に請求項２のシートを前面にし、請求項３のシートを背面にして装着すると、請求項２に記載するシートの表面は約５、０センチメートル間隔でミシン目によるＶ字型溝が側面と並行しており、また、これは形状可変・固定機能を有するので、請求項３に記載のダーツによる湾曲可変・固定機能を持つ請求項３のシートと連結して洗髪水を洗面ボウルに円滑に導き、併せて請求項２のシートの両側は洗面ボウルの立ち上がり側面に沿って上向き変形できるので洗面ボウル外への水流出を防止することができる。加えて、頸部接触部に防水カラーを付設しているので、被洗髪者の着衣の水濡れを防ぎ跳ね水濡れは生じない。【００２２】（２）理・美容室でリクライニングチェアーに仰向きになり洗髪するとき、健康上の事情から洗面ボウルへの頭部自力移動が難しく洗面ボウルとの間に少々間隔を生じて従前のシャンプークロスでは対応できない被洗髪者に対しても、前記同様請求項２のシートと同３のシートの形状可変・固定機能を活用して着衣の水濡れ・跳ね水濡れなく洗髪することができる。【００２３】（３）請求項４に記載のシートは本考案による介護用シャンプークロスを装着したとき、請求項３のシートと請求項５のシートの間に収納されるので、請求項２のシ−トと請求項３のシートの隙間と請求項５のシ−トの分断部をカバーし、洗髪水の着衣への水濡れを防ぐことができる。【００２４】（４）請求項６に記載の構造により、理・美容室で後頭部を洗面ボウルに向けて洗髪するときには、通常、洗面ボウル縁の硬さを緩衝するため、後頸部にクッション機材を当てるが、当介護用シャンプークロスは請求項２のシートの内円形部に二重に内蔵されているクッション材が緩衝機能を有するので、クッション機材の使用を不要とすることができる。また、寝具に仰向けに寝ている者の洗髪時に、介護用シャンプー台を使用するときも同様の効果を得られる。【００２５】（５）請求項６に記載のとおり、介護用洗面台を用いての寝具に仰向きに寝ている者の洗髪時には、請求項２のシートと同３のシートとの連結による一体化により、請求項３のシートを胸部に向け、ダーツの湾曲可変・固定機能によって湾曲角度を調節しつつ水跳ねを防止することができる。この場合請求項２のシートは被洗髪者の背後で頸部から傾斜して先端が洗面ボウル底部に収まるのでＶ字型溝の導きにより、寝具等への水濡れなく洗髪することができる。【００２６】（６）請求項５に記載のとおり、請求項５のシートは請求項２・３・４のシートの下層に付設され、サイズがより大きくなっているので、洗髪時に万一請求項２・３・４のシートの下層に洗髪水が浸透し又は請求項２・３・４のシート外に飛散した場合に被洗髪者の着衣水濡れを防ぐことができる。【００２７】（７）この介護用シャンプークロスを装着する際には、請求項６に記載の請求項４のシート付設のつまみを持って頸部に沿って軽く絞り、マジックテープを結合すると内円形部を頸部にフィットさせ、被洗髪者の着衣、身体の水濡れを防ぐことができる。【００２８】（８）請求項６に記載する請求項２のシートと同３のシートに付設の紐を結ぶことによって、またはループに紐を通して紐の絞り加減を調節することによって、請求項３のシートの表面の湾曲変形深度を自在に調節することができるので被洗髪者への水濡れ、水跳ね防止に個別対応できる。【００２９】（９）請求項６に記載する防水カラーが被洗髪者の頸部に密着するので、洗髪水による着衣水濡れを防止できる。
【図面の簡単な説明】
【００３０】
【図１】本案を実施するための構成部材請求項２のシートの形態図である。
【図２】本案を実施するための構成部材請求項３のシートの形態図である。
【図３】本案を実施するための構成部材請求項４のシートの形態図である。
【図４】本案を実施するための構成部材請求項５のシートの形態図である。
【図５】本案を実施するため前４図の連結に加えて、マジック・テープ、ひも、つまみ、ループ、防水カラーを付設した完成品の形態図である。
【図６】前傾姿勢の難しい者が本考案品を着用して洗髪するときの断面図である。
【図７】前傾姿勢の難しい者が本考案品を着用して洗髪するときの立体図である。
【図８】洗髪時に洗面ボウルの縁に後頸部を乗せるとき、本考案品の二重内蔵クッション材が接触による痛みを和らげることを示す断面図である。
【図９】十分な後傾姿勢ができず、洗面ボウルに近づけない者が本考案品を着用して洗髪するときの断面図である。
【図１０】十分な後傾姿勢ができず、洗面ボウルに近づけない者が本考案品を着用して洗髪するときの立体図である。
【図１１】介護用洗面ボウルを使用して寝具等に仰向けに寝た者を洗髪するときに本考案品を着用した場合の立体図である。
【考案を実施するための形態】
【００３１】以下本考案の実施の形態を図に基づいて説明する。
【実施例１】図６及び図７は本考案装置の実施例１の断面図及び立体図であって、被洗髪者が洗面ボウルの前で十分な前傾姿勢ができない場合に、請求項２のシートの形状固定機能によって洗髪水を外部に流出させることなく、身体と離れた位置の洗面ボウル内に放流することができる。また、この時、請求項２のシートと連結した請求項３のシートは被洗髪者の後頭部で湾曲形状を保持しているので、洗髪水を他に流出、飛散させることなく、請求項２のシートに流入せしめることができる。また、頸部の防水カラーが着衣水濡れを防ぐ。
【実施例２】図８は本考案装置の実施例２の断面図であって、洗髪者の後頸部を洗面ボウルの縁に乗せるとき、請求項２のシートの内円形部に内蔵された二重のクッション材の効能により、他のクッション機材を使用しないで痛みを和らげ洗髪することができる。
【実施例３】図９及び図１０は本考案装置の実施例３の断面図及び立体図であって、被洗髪者が十分な後傾姿勢ができず、背部の洗面ボウルとの間に隔たりを生じる場合、請求項３のシートを被洗髪者の顔前で湾曲形状にし、請求項２のシートの先端を洗面ボウル内に納めると、形状固定機能を有する請求項２・同３のシートの連結により、また、図６同様に頸部の防水カラーが洗髪水の着衣水濡れを防ぎ洗髪水を他に流水、飛散させることなく洗面ボウルに流入せしめることができる。
【実施例４】図１１は本考案装置の実施例４の立体図であって、介護用洗面台を使用して、寝具に寝た切りの者の洗髪をするとき、請求項３のシートを被洗髪者の胸部で必要に応じた角度で湾曲させ、これと連結する形状固定の請求項２のシートの先端を後頭部の介護用洗面台内に納めると、洗髪水を他に流出、飛散させることなく介護用洗面台に流入せしめることができる。
【産業上の利用可能性】
【００３２】理・美容店、病院、（特別養護、有料）老人ホーム、老人保健施設等福祉・介護施設、在宅介護等の分野で利用が可能である。
【符号の説明】
【００３３】▲１▼請求項２のシート
▲２▼Ｖ字溝
▲３▼クッション材二重内蔵
▲４▼ひも
▲５▼ループ
▲６▼マジックテープ
▲７▼請求項３のシート
▲８▼Ｖ字型ダーツ
▲９▼ひも
▲１０▼請求項４のシート
▲１１▼つまみ
▲１２▼請求項５のシート
▲１３▼防水カラー
【図１】
0003189630.tif 000003
【図２】
0003189630.tif 000004
【図３】
0003189630.tif 000005
【図４】
0003189630.tif 000006
【図５】
0003189630.tif 000007
【図６】
0003189630.tif 000008
【図７】
0003189630.tif 000009
【図８】
0003189630.tif 000010
【図９】
0003189630.tif 000011
【図１０】
0003189630.tif 000012
【図１１】
0003189630.tif 000013
【手続補正書】
【提出日】平成25年12月9日(2013.12.9)
【手続補正１】
【補正対象書類名】実用新案登録請求の範囲
【補正対象項目名】全文
【補正方法】変更
【補正の内容】
【実用新案登録請求の範囲】
【請求項１】
防水又は撥水加工された化学繊維若しくは天然素材製で幅約６０、０センチメートル奥行約４０、０センチメートルの長方形シートを２枚重ねの表裏シートとし、手前から奥行約２０、０センチメートルまでの部分に厚み約５、０ミリメートルのクッション材を挟み込み、加えて、手前側面中間点を起点として両サイドに幅約７、５センチメートル、奥行約２０、０センチメートルまでの部分に厚み約１５、０ミリメートルのクッション材を重ねて挟み込み、３層及び４層となる手前側面を揃えて外周を縫合、約１５、０ミリメートル幅のパイピングを施し、次に、クッション材挟み込み部分と非挟み込み部分の境界部にミシン掛けしてクッション材を固定し、更に３層及び４層重ね部分の表裏面に奥行方向に沿って幅約５、０センチメートル間隔にミシンをかけてＶ字形の溝を施し、手前側面中間点を起点として半径約６、０センチメートルの半円形部を切り取り、その半円形断面を防水性の肌にやさしい素材を用いて約１５、０ミリメートル幅のパイピングを施してシート表面に対して角度９０度起こし、そのパイピング部内側下部全域に周囲を折り返して幅寸法を約４、０センチメートルとする防水性素材繊維シート製の長方形防水カラー長方辺片側を縫合し、加えて、そのパイピング部外側に手前から見て左端から約８、０センチメートルの部位まで約１５、０ミリメートル幅の面ファスナーを取り付け、更に手前から見て左側の約４０、０センチメートル側面の中間点よりやや先方部に防水性素材繊維製の長さ約２、５センチメートル、幅約１、０センチメートルのループを取り付け、その手前約５、０センチメートルの部分に長さ約２５、０センチメートルの紐を取り付けたことを特徴とする介護用シャンプークロス。
【請求項２】
直径約６０、０センチメートルの正半円形から円心を基点に角度約２０度に相当する部分を除去した形状の防水又は撥水加工された化学繊維若しくは天然素材製の２枚重ね表裏シートの間に厚み約５、０ミリメートルのクッション材を挟み込み、外周に約１０、０ミリメートル幅のパイピングを施し、このシートの円心から半径約１４、０センチメートルの円周部位にミシン目を入れて内円とし、この内円から同シートの外周に向けて放射状に、表裏シートとも折り目を内側に織り込み、折り目幅が内円部０センチメートル、円外周部約２、０センチメートルのミシン目による楔状のダーツを均等幅で約４本入れ、更にこのミシン目の両サイドにミシン目を加えてＶ字形溝を設け、円心から半径約６、０センチメートルの半円形部を切り取り、円形断面に防水性の肌にやさしい素材で約１５、０ミリメートル幅のパイピングを施してシート表面に対して角度９０度起こし、その内側全面に約１５、０ミリメートル幅の面ファスナーを取り付け、角度約２０度に相当する部分を除去しなかった方側のパイピング部内側下部５、０センチメートル部分に周囲を折り返して幅寸法を約４、０センチメートルとする防水性素材繊維シート製の長方形防水カラー長方辺片側を縫合し、角度約２０度に相当する部分を除去した側の側面先端に長さ約２５、０センチメートルの紐を取り付け、角度２０度除去しなかった方の直線部を、請求項１に記載の介護用シャンプークロスの約６０、０センチメートル側面の手前から見て右半側面に縫合し、加えて、両シートの防水カラーの側面を縫合、接続し組み合わせたことを特徴とする請求項１に記載の介護用シャンプークロス。
【請求項３】
半径約３０、０センチメートル、角度１２０度の防水または撥水加工された化学繊維若しくは天然素材の１枚シートを、先ず、円心から半径約６、０センチメートルの半円形部を切り取り内円形部とし、円形断面に防水性の肌にやさしい素材で約１５ミリメートル幅のパイピングを施してシート面に対して角度９０度起こし、その外側全面に約１５、０ミリメートル幅の面ファスナーを取り付け、次に約３０、０センチメートルから内円形部約６、０センチメートル除いた約２４、０センチメートルの辺から角度約４５度移行した部分の径長を内円形部から約１９、０センチメートル、更に角度約４５度移行した部分の径長を内円形部から約１１、０センチメートル、約２４、０センチメートルの辺と反対側の辺長を内円形部から約８、０センチメートルとして径先端間を外円状に結んだラインを裁断し、外周と約８、０センチメートルの直線部に約１０、０ミリメートル幅のパイピングを施し、径長約２４、０センチメートル側の円形パイピング部内側下部５、０センチメートル部分に周囲を折り返して幅寸法を約４、０センチメートルとする防水性素材繊維シート製の長方形防水カラー長方辺片側を縫合し、内円周部先端部分に幅約１、５センチメートル、長さ約２、０センチメートル、厚さ約２、０〜４、０ミリメートルの摩擦に強い素材によるつまみを縫合、付設して、非パイピング部を請求項１に記載の介護用シャンプークロスの約６０、０センチメートル側面の手前から見て左半側面と縫合し、加えて、両シートの面ファスナー、防水カラーの側面を縫合、接続し組み合わせたことを特徴とする請求項１に記載の介護用シャンプークロス。
【請求項４】
幅約９８、０センチメートル、奥行約９９、０センチメートルのほぼ長方形防水性１層シートの４角を切り取って丸みを施し、このシートの約９８、０センチメートル幅のセンターライン上で手前から奥行約４９、０センチメートルの位置を円心とする直径約１２、０センチメートルの円形部を切り除き、また、切り取った円形の円心から手前側面に至るセンターラインをカット分断し、全ての断面を三つ折りして縫製し、円形部を請求項１及び同３に記載の介護用シャンプークロスの内円形部下に縫合組み合わせ、併せて請求項２に記載の介護用シャンプークロスの内円形部で請求項１のシートと縫合した部位から約９０度まで進んだ内円形下部に縫合組み合わせたことを特徴とする請求項１に記載の介護用シャンプークロス。
【手続補正２】
【補正対象書類名】明細書
【補正対象項目名】全文
【補正方法】変更
【補正の内容】
【考案の詳細な説明】
【技術分野】
【０００１】本考案は理・美容店や病院、福祉施設、在宅等における洗髪時に被洗髪者の着衣及び寝具の水濡れを防止し、洗髪水の洗面ボウルへの円滑な流入を促し、更に洗面ボウル接触による後頸部の苦痛を防ぐために用いる介護用シャンプークロスに関するものである。
【背景技術】
【０００２】従来のシャンプークロスは薄い防水性の化学繊維一枚で作成され、頸部を中心に３６０度肘関節部あたりまでの長さで身体を覆い、その上に涎かけをやや拡大した形状の防水性科学繊維を重ねた単純な形状・構造のものが一般的で、介護用と称する製品ではクロスの外周に円形のワイヤーを内蔵しているものがあるが、一定の形状しか保てないので被洗髪者の様々な体位変換に適応できないものである。【０００３】これでは材質・構造に被洗髪者の姿勢に適応した形状固定機能がないため、洗髪水をスムーズに洗面ボウルへ放流できず、十分な前屈みや仰向け姿勢が困難で、体位変換が難しい身体障害者及び寝たきりの者に対し、着衣及び寝具等の水濡れ、また、飛散水による水濡れ被害をもたらし、更に健常者も含め洗面ボウルに後頭部を乗せたときには、痛覚を和らげるため、別のクッション機材を後頸部に当てる必要があり、用途目的に適う構造と形状を有していないものである。
【先行技術文献】
【非特許文献】
【０００４】
【非特許文献１】社団法人ジミー国際理美容福祉アカデミー社のホームページ掲載、介護用にワイヤー内蔵のシャンプーケアクロス。
【０００５】
【非特許文献２】滝川株式会社出版、理・美容店向け商品カタログ、ビューティギャラリー２７巻２０１２−２０１３版掲載。１８３Ｐ、株式会社メイホー製バックシャンプークロス１９４Ｐ、リファレンス社製ワード介護用ＢＢフロントシャンプークロス。１９５Ｐ、カトレアエリーゼしわシャンプークロス。１９５Ｐ、株式会社丸福商会製エクセルバックシャンプークロス。
【０００６】
【非特許文献３】滝川株式会社出版、理・美容店向け商品カタログ、ビューティギャラリー２７巻２０１２−２０１３版掲載。名和商事株式会社製シャンプーボールクッション各種。
【考案の概要】
【考案が解決しようとする課題】
【０００７】本考案は以上のような従来の欠点に鑑み、身体障害による深い前傾姿勢不能者、仰向け姿勢不能者、寝たきりの者等の洗髪時における着衣及び寝具の水濡れ・着衣への水跳ねを防止し、また、健常者も含め、洗面ボウル接触による後頸部の苦痛を解消する介護用シャンプークロスを提供することを目的としている。
【課題を解決するための手段】
【０００８】上記目的を達成するために本考案は請求項１から同４に示すように、材質、形状、構造、縫製形態の複合的な組み合わせによって介護用シャンプークロスを形成している。【０００９】先ず、請求項１では防水又は撥水加工された化学繊維若しくは天然素材製の２枚重ねの長方形シートを用意し、手前から奥行２分の１までの表裏シートの間にクッション材を挟んで３層及び４層となる手前側面を揃えて外周を縫合し、表裏面に奥行方向に沿って幅約５、０センチメートル間隔にミシンをかけてＶ字形の溝を設け、手前側面の中間点を起点として半径約６、０センチメートルの半円部を切り取り、その断面に約１５、０ミリメートル幅のパイピングを施し、シート表面に対して９０度起こし、面ファスナー、防水カラーを付設し、左側面の中央部付近にループとひもを付設している。【００１０】請求項２では防水又は撥水加工された化学繊維若しくは天然素材製の２枚重ねシートを直径約６０、０センチメートルの半円形状にし、円心から約１４、０センチメートルの円状部にミシン目を施し、その部位より円外周に向けた楔状のダーツを４本入れており、このダーツは円外周部で幅約２、０センチメートル、内円形部で０センチメートルの楔状となっており、表裏シートの折り目を各々シートの内側に織り込み、並列に並べて重なりを防いでおり、折り目を固定するため最初のミシン目の両サイドにミシン目を加えＶ字形の溝を設けており、更に円心から半径約６、０センチメートルの半円部を切り取り、その断面に約１５、０ミリメートル幅のパイピングを施し、シート表面に対して９０度起こして面ファスナー、防水カラーを付設し、直線部の一方の先端に約２５、０センチメートルの紐を取り付け、一方の直線部を、請求項１に記載の介護用シャンプークロスの約６０、０センチメートル側面の手前から見て右半側面に縫合し組み合わせている。【００１１】請求項３では半径約３０、０センチメートル、１２０度角の防水または撥水加工された化学繊維若しくは天然素材の１枚シートの円心から半径約６、０センチメートルの円形部を切り取り内円形部とし、円形断面に防水性の肌にやさしい素材で約１５、０ミリメートル幅のパイピングを施し、シート表面に対して９０度起こし、そのパイピング部に面ファスナー、防水カラー、つまみを付設し、経長を、先ず約３０、０センチメートルから内円形部約６，０センチメートル除いた約２４，０センチメートルの辺から角度約４５度移行した部分を内円形部から約１９、０センチメートル、更に角度約４５度移行した部分を内円形部から約１１、０センチメートル、約２４、０センチメートルの辺と反対側の辺長を内円形部から約８、０センチメートルに短縮し、径先端間を外円状に結んだラインを裁断し、外周と約８、０センチメートルの直線部に約１０、０ミリメートル幅のパイピングを施し、短縮しなかった方の直線部を、請求項１に記載の介護用シャンプークロスの約６０、０センチメートル側面の手前から見て左半側面に縫合し組み合わせている。【００１２】請求項４では幅約９８、０センチメートル、奥行約９９、０センチメートルの長方形防水性１層シートの４角を切り取って丸みを施し、このシートの約９８、０センチメートル幅のセンターライン上で手前から奥行約４９、０センチメートルの位置を円心とする直径約１２、０センチメートルの円形部を切り取り、また、その円形の円心から手前側面に至るセンターラインをカット分断し、周辺を三つ折りして縫製し、円形部を請求項１〜３に記載の介護用シャンプークロスの内円形部に縫合し組み合わせている。
【考案の効果】
【００１３】以上の説明から明らかなように、本考案にあっては次に列挙する効果が得られる。【００１４】（１）健常者はもとより、身体の障害により理・美容店のチェアーや車いすで十分な前傾姿勢の難しい者の洗髪時に請求項１に記載のシートを前面にし、請求項２に記載のシートを背面にして装着すると、請求項１に記載するシートの表面は約５、０センチメートル間隔でミシン目によるＶ字型溝が側面と並行しており、また、これは形状を可変・固定できる構造になっているので、ダーツにより形状を湾曲可変・固定できる構造を持つ請求項２に記載のシートと連結して洗髪水を洗面ボウルに円滑に導き、併せて請求項１に記載のシートの両側は洗面ボウルの立ち上がり側面に沿って形状を上向き変形できるので洗面ボウル外への水流出を防止することができ、加えて、頸部接触部に防水カラーを付設しているので、被洗髪者の着衣の水濡れを防ぎ跳ね水濡れは生じない。【００１５】（２）理・美容室でリクライニングチェアーに仰向きになり洗髪するとき、健康上の事情から洗面ボウルへの頭部自力移動が難しく洗面ボウルとの間に少々間隔を生じて従前のシャンプークロスでは対応できない被洗髪者に対しても、前記同様請求項１に記載のシートと請求項２に記載のシートの形状を可変・固定できる構造を活用して着衣の水濡れ・跳ね水濡れなく洗髪することができる。【００１６】（３）本考案による介護用シャンプークロスを装着したとき、請求項３に記載のシートは請求項２に記載のシートと請求項４に記載のシートの間に収納されるので、請求項１に記載のシ−トと請求項２に記載のシートの隙間と請求項４に記載のシ−トの分断部をカバーし、洗髪水の着衣への水濡れを防ぐことができる。【００１７】（４）理・美容室で後頭部を洗面ボウルに向けて洗髪するときには、通常、洗面ボウル縁の硬さを緩衝するため、後頸部にクッション機材を当てるが、当介護用シャンプークロスは請求項１に記載のシートの内円形部にクッション材を二重に内蔵している構造により、クッション機材の使用を不要とすることができ、また、寝具に仰向けに寝ている者の洗髪時に、介護用シャンプー台を使用するときも同様の効果を得られる。【００１８】（５）介護用洗面台を用いての寝具に仰向きに寝ている者の洗髪時には、請求項１に記載のシートと同２に記載のシートとの連結による一体化構造により、請求項２に記載のシートを胸部に向け、湾曲を可変・固定できるダーツの構造によって湾曲角度を調節しつつ水跳ねを防止することができ、この場合請求項１に記載のシートは被洗髪者の背後で頸部から傾斜して先端が洗面ボウル底部に収まるのでＶ字型構造の溝の導きにより、寝具等への水濡れなく洗髪することができる。【００１９】（６）請求項４に記載のシートは請求項１〜３に記載のシートの下層に付設され、サイズがより大きくなっているので、洗髪時に万一請求項１〜３に記載のシートの下層に洗髪水が浸透し又は請求項１〜３に記載のシート外に飛散した場合に被洗髪者の着衣水濡れを防ぐことができる。【００２０】（７）この介護用シャンプークロスを装着する際には、請求項３に記載のつまみを持って頸部に沿って軽く絞り、面ファスナーを結合すると内円形部を頸部にフィットさせ、被洗髪者の着衣、身体の水濡れを防ぐことができる。【００２１】（８）請求項１に記載のシートと請求項２に記載のシートに付設の紐を結ぶことによって、またはループに紐を通して紐の絞り加減を調節することによって、請求項２に記載のシートの表面の湾曲変形深度を自在に調節する構造になっているので被洗髪者への水濡れ、水跳ね防止に個別対応できる。【００２２】（９）請求項１〜３に記載する防水カラーをシートの表面側に折ると各シートの内円形部に沿って被洗髪者の頸部に密着するので、洗髪水による着衣水濡れを防止できる。
【図面の簡単な説明】
【００２３】
【図１】本案を実施するための構成部材請求項１に記載のシートの形態図である。
【図２】本案を実施するための構成部材請求項２に記載のシートの形態図である。
【図３】本案を実施するための構成部材請求項３に記載のシートの形態図である。
【図４】本案を実施するための構成部材請求項４に記載のシートの形態図である。
【図５】請求項１〜４に記載の介護用シャンプークロス構成部材を組み合わせた完成品の形態図である。
【図６】前傾姿勢の難しい者が本考案品を着用して洗髪するときの断面図である。
【図７】前傾姿勢の難しい者が本考案品を着用して洗髪するときの立体図である。
【図８】洗髪時に洗面ボウルの縁に後頸部を乗せるとき、本考案品の二重内蔵クッション材が接触による痛みを和らげることを示す断面図である。
【図９】十分な後傾姿勢ができず、洗面ボウルに近づけない者が本考案品を着用して洗髪するときの断面図である。
【図１０】十分な後傾姿勢ができず、洗面ボウルに近づけない者が本考案品を着用して洗髪するときの立体図である。
【図１１】介護用洗面ボウルを使用して寝具等に仰向けに寝た者を洗髪するときに本考案品を着用した場合の立体図である。
【考案を実施するための形態】
【００２４】以下本考案の実施の形態を図に基づいて説明する。
【実施例１】図６及び図７は本考案装置の実施例１の断面図及び立体図であって、被洗髪者が洗面ボウルの前で十分な前傾姿勢ができない場合に、請求項１に記載のシートの形状及び構造によって洗髪水を外部に流出させることなく、身体と離れた位置の洗面ボウル内に放流することができ、また、この時、請求項１に記載のシートと連結した請求項２に記載のシートは被洗髪者の後頭部で湾曲形状を保持しているので、洗髪水を他に流出、飛散させることなく、請求項１に記載のシートに流入せしめることができ、また、頸部の防水カラーが着衣水濡れを防ぐ。
【実施例２】図８は本考案装置の実施例２の断面図であって、洗髪者の後頸部を洗面ボウルの縁に乗せるとき、請求項１に記載のシートの内円形部に内蔵されたクッション材の二重構造により、他のクッション機材を使用しないで痛みを和らげ洗髪することができる。
【実施例３】図９及び図１０は本考案装置の実施例３の断面図及び立体図であって、被洗髪者が十分な後傾姿勢ができず、背部の洗面ボウルとの間に隔たりを生じる場合、請求項２に記載のシートを被洗髪者の顔前で湾曲形状にし、請求項１に記載のシートの先端を洗面ボウル内に納めると、請求項１・同２に記載のシートの連結により、図６同様に頸部の防水カラーが洗髪水の着衣水濡れを防ぎ洗髪水を他に流水、飛散させることなく洗面ボウルに流入せしめることができる。
【実施例４】図１１は本考案装置の実施例４の立体図であって、介護用洗面台を使用して、寝具に寝た切りの者の洗髪をするとき、請求項２に記載のシートの形状を被洗髪者の胸部で必要に応じた角度で湾曲形状とし、これと連結する請求項１に記載のシートの先端を後頭部の介護用洗面台内に納めると、洗髪水を他に流出、飛散させることなく介護用洗面台に流入せしめることができる。
【産業上の利用可能性】
【００２５】理・美容店、病院、（特別養護、有料）老人ホーム、老人保健施設等福祉・介護施設、在宅介護等の分野で利用が可能である。
【符号の説明】
【００２６】▲１▼  請求項１のシート
▲２▼  字溝
▲３▼  クッション材二重内蔵
▲４▼  ひも
▲５▼  ループ
▲６▼  面ファスナー
▲７▼  請求項２のシート
▲８▼  Ｖ字型ダーツ
▲９▼  ひも
▲１０▼  請求項３のシート
▲１１▼  つまみ
▲１２▼  請求項４のシート
▲１３▼  防水カラー
【手続補正３】
【補正対象書類名】図面
【補正対象項目名】全図
【補正方法】変更
【補正の内容】
【図１】
0003189630.tif 000014
【図２】
0003189630.tif 000015
【図３】
0003189630.tif 000016
【図４】
0003189630.tif 000017
【図５】
0003189630.tif 000018
【図６】
0003189630.tif 000019
【図７】
0003189630.tif 000020
【図８】
0003189630.tif 000021
【図９】
0003189630.tif 000022
【図１０】
0003189630.tif 000023
【図１１】
0003189630.tif 000024